(57)【要約】【課題】衝突などの衝撃発生時に着座者の骨盤（腰部）の挙動を適切に制御し、着座者の脊椎に圧縮荷重が生じてしまうことを抑制することが可能な乗物用シートの提供。【解決手段】シートクッションＳ１を備えた乗物用シートであって、前記シートクッションＳ１は、シートクッションフレーム１０と、前記シートクッションフレーム１０の上に載置されたクッションパッド１ｂと、を有し、前記シートクッションフレーム１０は、着座者の沈み込みを抑制する沈み込み抑制部材１５を備え、前記沈み込み抑制部材１５に脆弱部１５ａが設けられている。【選択図】図３
2019043538.tif 000002
【特許請求の範囲】
【請求項１】
シートクッションを備えた乗物用シートであって、
前記シートクッションは、シートクッションフレームと、
前記シートクッションフレームの上に載置されたクッションパッドと、を有し、
前記シートクッションフレームは、着座者の沈み込みを抑制する沈み込み抑制部材を備え、
前記沈み込み抑制部材に脆弱部が設けられていることを特徴とする乗物用シート。
【請求項２】
前記シートクッションフレームは、一対のサイドフレームを有し、
前記沈み込み抑制部材は前記一対のサイドフレームに架設されていることを特徴とする請求項１に記載の乗物用シート。
【請求項３】
前記沈み込み抑制部材は着座者の大腿部を支持するパンフレームであることを特徴とする請求項１に記載の乗物用シート。
【請求項４】
前記沈み込み抑制部材は前記クッションパッド内に設けられていることを特徴とする請求項１に記載の乗物用シート。
【請求項５】
前記乗物用シートの高さ位置を調整するための高さ調整機構を備え、
前記高さ調整機構の高さ位置を維持するリンク部に脆弱部が設けられていることを特徴とする請求項１乃至４の何れか一項に記載の乗物用シート。
【請求項６】
前記沈み込み抑制部材は第一の沈み込み抑制部材であり、
前記第一の沈み込み抑制部材とは異なる第二の沈み込み抑制部材を備え、
前記第二の沈み込み抑制部材にも脆弱部が設けられていることを特徴とする請求項１に記載の乗物用シート。
【請求項７】
前記第一の沈み込み抑制部材は、前記第二の沈み込み抑制部材と前記乗物用シートの前後方向において離間して設けられていることを特徴とする請求項６に記載の乗物用シート。
【請求項８】
前記第一の沈み込み抑制部材は、前記乗物用シートの上下方向において前記第二の沈み込み抑制部材に対して少なくとも一部が重なるように配置されていることを特徴とする請求項７に記載の乗物用シート。
【請求項９】
前記第一の沈み込み抑制部材は、前記乗物用シートの上下方向において前記第二の沈み込み抑制部材に対して重ならないように配置されていることを特徴とする請求項７に記載の乗物用シート。
【請求項１０】
前記乗物用シートの高さ位置を調整するための高さ調整機構を備え、
前記高さ調整機構の高さ位置を維持するリンク部に脆弱部が設けられていることを特徴とする請求項７に記載の乗物用シート。
【発明の詳細な説明】
【技術分野】
【０００１】
本発明は、乗物用シートに係り、特に衝突などの衝撃発生時に着座者の沈み込みを抑制することが可能な乗物用シートに関する。
【背景技術】
【０００２】
走行中の車両が前突した際には、シートに着座した着座者（乗員）の体が、シートベルトに拘束された状態でシートの表面上を前下方に滑り落ちるサブマリン現象が発生することがある。サブマリン現象を抑制するための対策としては、例えば特許文献１に記載されているように、シートクッションの前部の下側に沈み込み抑制のためにパイプ部材を設けた車両用シートが知られている。
【先行技術文献】
【特許文献】
【０００３】
【特許文献１】特開２００４−３４７９７号公報
【発明の概要】
【発明が解決しようとする課題】
【０００４】
しかし、前突時に、乗員が沈み込んだ際に脊椎に圧縮荷重が生じるため乗員に負荷をかけてしまうことがあった。
【０００５】
本発明は、上記の課題に鑑みてなされたものであり、その目的は、衝突などの衝撃発生時に着座者に生じる衝撃を適切に吸収し、着座者の脊椎に圧縮荷重が生じてしまうことを抑制することが可能な乗物用シートを提供することにある。
【課題を解決するための手段】
【０００６】
前記課題は、本発明の乗物用シートによれば、シートクッションを備えた乗物用シートであって、前記シートクッションは、シートクッションフレームと、前記シートクッションフレームの上に載置されたクッションパッドと、を有し、前記シートクッションフレームは、着座者の沈み込みを抑制する沈み込み抑制部材を備え、前記沈み込み抑制部材に脆弱部が設けられていることにより解決される。
【０００７】
上記のように構成された本発明のシートクッションでは、前突時に、着座者が沈み込んだ際に、沈み込み抑制部材が脆弱部で変形することで、着座者に生じる衝撃の吸収に寄与する。したがって、着座者の脊椎に圧縮荷重が生じてしまうことが抑制される。
【０００８】
また、上記の構成において、前記シートクッションフレームは、一対のサイドフレームを有し、前記沈み込み抑制部材は前記一対のサイドフレームに架設されているとよい。
上記の構成では、沈み込み抑制部材がシート幅方向においてその両端が一対のサイドフレームに架設されているため、取付け剛性が向上する。
【０００９】
また、上記の構成において、前記沈み込み抑制部材は着座者の大腿部を支持するパンフレームであるとよい。
上記の構成では、通常着座時は乗員を支持可能な面積が増え、前突時は衝撃吸収に寄与させることが可能となる。
【００１０】
また、上記の構成において、前記沈み込み抑制部材は前記クッションパッド内に設けられているとよい。
上記の構成では、シートフレームの構造を通常と同様に簡素なものとすることが可能であり、乗物用シートを組み立てるときの作業性向上に寄与しつつ、前突時には衝撃の吸収に寄与させることが可能となる。
【００１１】
また、上記の構成において、前記乗物用シートの高さ位置を調整するための高さ調整機構を備え、前記高さ調整機構の高さ位置を維持するリンク部に脆弱部が設けられているとよい。
上記の構成では、前突時に着座者が沈み込んだ際に、衝撃吸収に寄与する脆弱部が増えることで、着座者に生じる衝撃がより一層抑制される。
【００１２】
また、上記の構成において、前記沈み込み抑制部材は第一の沈み込み抑制部材であり、前記第一の沈み込み抑制部材とは異なる第二の沈み込み抑制部材を備え、前記第二の沈み込み抑制部材にも脆弱部が設けられているとよい。
上記の構成では、前突時に着座者が沈み込んだ際に、衝撃吸収に寄与する脆弱部が増えることで、着座者に生じる衝撃がより一層抑制される。
【００１３】
また、上記の構成において、前記第一の沈み込み抑制部材は、前記第二の沈み込み抑制部材と前記乗物用シートの前後方向において離間して設けられているとよい。
上記の構成では、乗物用シートの前後方向における広い範囲で衝撃吸収が生じるため、着座者に生じる衝撃がより一層抑制される。
【００１４】
また、前記第一の沈み込み抑制部材は、前記乗物用シートの上下方向において前記第二の沈み込み抑制部材に対して少なくとも一部が重なるように配置されているとよい。
上記の構成では、第一の沈み込み抑制部材と第二の沈み込み抑制部材がシート上下方向で重なっているため、前突時に着座者が沈み込んだ際に、衝撃吸収量を増加させることが可能となる。
【００１５】
また、上記の構成において、前記第一の沈み込み抑制部材は、前記乗物用シートの上下方向において前記第二の沈み込み抑制部材に対して重ならないように配置されているとよい。
上記の構成では、乗物用シートの前後方向における広い範囲で衝撃吸収が生じるため、着座者に生じる衝撃がより一層抑制される。
【００１６】
また、上記の構成において、前記乗物用シートの高さ位置を調整するための高さ調整機構を備え、前記高さ調整機構の高さ位置を維持するリンク部に脆弱部が設けられているとよい。
上記の構成では、前突時に着座者が沈み込んだ際に、衝撃吸収に寄与する脆弱部が増えることで、着座者に生じる衝撃がより一層抑制される。
【発明の効果】
【００１７】
本発明の乗物用シートによれば、前突時に、着座者が沈み込んだ際に、沈み込み抑制部材が脆弱部で変形することで、着座者に生じる衝撃の吸収に寄与する。したがって、着座者の脊椎に圧縮荷重が生じてしまうことが抑制される。
また、本発明の乗物用シートによれば、沈み込み抑制部材がシート幅方向においてその両端が一対のサイドフレームに架設されているため、取付け剛性が向上する。
また、本発明の乗物用シートによれば、通常着座時は乗員を支持可能な面積が増え、前突時は衝撃吸収に寄与させることが可能となる。
また、本発明の乗物用シートによれば、シートフレームの構造を通常と同様に簡素なものとすることが可能であり、乗物用シートを組み立てるときの作業性向上に寄与しつつ、前突時には衝撃の吸収に寄与させることが可能となる。
また、本発明の乗物用シートによれば、前突時に着座者が沈み込んだ際に、衝撃吸収に寄与する脆弱部が増えることで、着座者に生じる衝撃がより一層抑制される。
また、本発明の乗物用シートによれば、乗物用シートの前後方向における広い範囲で衝撃吸収が生じるため、着座者に生じる衝撃がより一層抑制される。
また、本発明の乗物用シートによれば、第一の沈み込み抑制部材と第二の沈み込み抑制部材がシート上下方向で重なっているため、前突時に着座者が沈み込んだ際に、衝撃吸収量を増加させることが可能となる。
【図面の簡単な説明】
【００１８】
【図１】本発明の第一乃至第四の実施形態に係る車両用シートの外観図である。
【図２】本発明の第一の実施形態に係る車両用シートのシートクッションフレームの斜視図である。
【図３】本発明の第一の実施形態に係る車両用シートのパンフレームを除いた状態のシートクッションフレームの斜視図である。
【図４】本発明の第一の実施形態に係る車両用シートのシートクッションフレームの上面図である。
【図５】図１のＡ−Ａ断面図であって、本発明の第一の実施形態に係る第一及び第二の沈み込み抑制部材の位置関係を示す説明図である。
【図６】図１のＢ−Ｂ断面図であって、本発明の第一の実施形態に係る第一及び第二の沈み込み抑制部材の位置関係を示す説明図である。
【図７】本発明の第二の実施形態に係る車両用シートのシートクッションフレームの斜視図である。
【図８】図１のＡ−Ａ断面図であって、本発明の第二の実施形態に係る第一及び第二の沈み込み抑制部材の位置関係を示す説明図である。
【図９】本発明の第三の実施形態に係る車両用シートのシートクッションフレームの斜視図である。
【図１０】本発明の第三の実施形態に係る車両用シートのシートクッションフレームの上面図である。
【図１１】図１のＡ−Ａ断面図であって、本発明の第三の実施形態に係る第一及び第二の沈み込み抑制部材の位置関係を示す説明図である。
【図１２】本発明の第四の実施形態に係る車両用シートのシートクッションフレームの斜視図である。
【図１３】本発明の第四の実施形態に係る車両用シートの高さ調整機構を示す説明図である。
【図１４】高さ調整機構のリンク部材を示す説明図である。
【図１５】高さ調整機構のリンク部材に設けられた脆弱部を示す説明図である。
【図１６Ａ】本発明の第１の変形例に係る車両用シートのシートフレームの斜視図である。
【図１６Ｂ】本発明の第１の変形例に係る車両用シートのシートフレームにおける衝撃吸収部材の配置を説明するための模式図である。
【図１６Ｃ】本発明の第１の変形例に係る車両用シートのシートフレームにおける衝撃吸収部材の配置を説明するための模式図である。
【図１６Ｄ】本発明の第１の変形例に係る車両用シートのシートフレームにおける衝撃吸収部材の配置を説明するための模式図である。
【図１７Ａ】本発明の第２の変形例に係る車両用シートのシートフレームの斜視図である。
【図１７Ｂ】本発明の第２の変形例に係る車両用シートのシートフレームにおける衝撃吸収部材の配置を説明するための模式図である。
【図１７Ｃ】本発明の第２の変形例に係る車両用シートのシートフレームにおける衝撃吸収部材の配置を説明するための模式図である。
【図１７Ｄ】本発明の第２の変形例に係る車両用シートのシートフレームにおける衝撃吸収部材の配置を説明するための模式図である。
【図１８Ａ】本発明の第３の変形例に係る車両用シートのシートフレームの斜視図である。
【図１８Ｂ】本発明の第３の変形例に係る車両用シートのシートフレームにおける衝撃吸収部材の配置を説明するための模式図である。
【図１８Ｃ】本発明の第３の変形例に係る車両用シートのシートフレームにおける衝撃吸収部材の配置を説明するための模式図である。
【図１８Ｄ】本発明の第３の変形例に係る車両用シートのシートフレームにおける衝撃吸収部材の配置を説明するための模式図である。
【図１９Ａ】本発明の第４の変形例に係る車両用シートのシートフレームの斜視図である。
【図１９Ｂ】本発明の第４の変形例に係る車両用シートのシートフレームにおける衝撃吸収部材の配置を説明するための模式図である。
【図１９Ｃ】本発明の第４の変形例に係る車両用シートのシートフレームにおける衝撃吸収部材の配置を説明するための模式図である。
【図１９Ｄ】本発明の第４の変形例に係る車両用シートのシートフレームにおける衝撃吸収部材の配置を説明するための模式図である。
【図２０Ａ】本発明の第５の変形例に係る車両用シートのシートフレームの斜視図である。
【図２０Ｂ】本発明の第５の変形例に係る車両用シートのシートフレームにおける衝撃吸収部材の配置を説明するための模式図である。
【図２０Ｃ】本発明の第５の変形例に係る車両用シートのシートフレームにおける衝撃吸収部材の配置を説明するための模式図である。
【図２０Ｄ】本発明の第５の変形例に係る車両用シートのシートフレームにおける衝撃吸収部材の配置を説明するための模式図である。
【発明を実施するための形態】
【００１９】
以下、図１乃至図２０Ｄを参照しながら、本発明の実施の形態（以下、本実施形態）に係る乗物用シートについて説明する。本実施形態に係る乗物用シートとして、車両に搭載される車両用シートを例に挙げて説明することとするが、自動車・鉄道など車輪を有する地上走行用乗物に搭載される車両用シートに限定されるものではなく、地上以外を移動する航空機や船舶などに搭載されるシートであってもよい。
【００２０】
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
【００２１】
本明細書における方向を示す用語に関し、図１のように各方向を定義する。具体的には、以下の説明中、「前後方向」とは、車両用シートの着座者から見たときの前後方向を意味し、車両の走行方向と一致する方向である。「シート幅方向」とは、車両用シートの横幅方向を意味し、車両用シートの着座者から見たときの左右方向と一致する。また、「上下方向」とは、車両用シートの高さ方向を意味し、車両用シートを正面から見たときの上下方向と一致している。
【００２２】
［１．車両用シートＳの構成］
本実施形態に係る車両用シートＳは、図１に図示した外観を有している。なお、図１中、車両用シートＳの一部（具体的には、シートクッションＳ１の前端角部）については、図示の都合上、トリムカバー１ａを外した構成にて図示している。
【００２３】
車両用シートＳは、着座者の臀部を支える着座部分となるシートクッションＳ１、着座者の背部を支える背もたれ部分となるシートバックＳ２、及び、シートバックＳ２の上部に配され、着座者の頭部を支えるヘッドレストＳ３を主な構成要素として有する。シートクッションＳ１は、図２に示す骨格となるシートクッションフレーム１０にクッションパッド１ｂを載置し、更にクッションパッド１ｂをトリムカバー１ａで覆うことで構成されている。シートバックＳ２は不図示のシートバックフレームに不図示のクッションパッドを載置して、トリムカバー１ａで覆うことで構成されている。ヘッドレストＳ３は、不図示の芯材に不図示のパッド材を配して、トリムカバー１ａで被覆して形成されている。
【００２４】
シートクッションＳ１やシートバックＳ２のクッションパッドはウレタン発泡材を用いて、発泡成型により成型されたウレタン基材である。シートクッションＳ１のトリムカバー１ａには、シートクッション右側に設けられ前後方向に延在する第一の吊りこみ部２ａ（右側吊りこみ部）、シートクッション左側に設けられ前後方向に延在する第二の吊りこみ部２ｂ（左側吊りこみ部）、シートクッション前側に設けられシート幅方向に延在する第三の吊りこみ部２ｃ（前側吊りこみ部）、シートクッション後側に設けられシート幅方向に延在する第四の吊りこみ部２ｄ（後側吊りこみ部）がそれぞれ設けられている。また、後述するように、クッションパッド１ｂの各吊りこみ部２ａ〜２ｄに対応する位置には、厚みが周囲よりも薄く形成された薄肉部がそれぞれ設けられている。
【００２５】
［２．第一の実施形態のシートクッションフレーム］
図２及び３を参照しながら、本発明の第一の実施形態に係るシートクッションフレーム１０の構成について説明する。シートクッションフレーム１０は不図示の脚部で支持されており、この脚部には、インナレールが取り付けられ、車体フロアに設置されるアウタレールとの間で、前後方向において位置調整可能なスライド式に組み立てられている。またシートクッションフレーム１０の後端部は、不図示のリクライニング機構を介して不図示のシートバックフレームと連結されている。
【００２６】
本実施形態において、シートクッションフレーム１０は、図２に示すように、上方から見たときに略方形枠状の外形形状をなす。そして、シートクッションフレーム１０は、シート幅方向左右の端部をそれぞれ構成する一対のサイドフレーム１１と、シートクッションフレーム１０の前端部を構成するパンフレーム１２と、左右のサイドフレーム１１を後端部において連結する連結パイプ１３（パイプフレーム）と、を主たる構成要素とする。
【００２７】
２本（一対）のサイドフレーム１１は、シートクッションフレーム１０の幅を規定するため、左右方向に離間して配設されており、前後方向に延在するように配設されている。そして、サイドフレーム１１の後方側に連結パイプ１３が取り付けられており、連結パイプ１３によって左右のサイドフレーム１１が後方側で連結される。
【００２８】
また、パンフレーム１２は、一対のサイドフレーム１１の前方側に固着接合されており、パンフレーム１２によって左右のサイドフレーム１１が前方側で連結される。より詳細には、パンフレーム１２左右方向の端部は、それぞれ、溶接などの固定手段によってサイドフレーム１１に設けられたフランジ１１ａに固定されている。
【００２９】
パンフレーム１２は、主として着座者（乗員）の大腿部を支持するためのものであり、その上面がほぼ平坦な略矩形形状に形成された金属製の板材から形成されるフレームである。パンフレーム１２は、図２及び後述する図５に示すように、前方端部が下方に折曲された前方折曲部１２ａと、後端部１２ｅにおいて下方に折曲された後方折曲部１２ｂを備えている。また、前方折曲部１２ａと後方折曲部１２ｂとの間には、上面がほぼ平坦である支持面１２ｃが備えられている。なお、この支持面１２ｃの左右方向の端部は、それぞれサイドフレーム１１のフランジ１１ａに固定される（図２）。
【００３０】
パンフレーム１２の前方折曲部１２ａの下方端部には、トリムカバー１ａの端部が係止される。なお、トリムカバー１ａと前方折曲部１２ａとの係止手段は、トリムコード等、公知の手法が用いられる。なお、図２に示すように、パンフレーム１２の上面には凸部１２ｄが設けられている。
【００３１】
次に、パンフレーム１２を除いた状態のシートクッションフレーム１０を示す図３を図２とともに参照して、説明を行う。パンフレーム１２の後端部１２ｅよりも後方には、前方スプリング１４ａ及び後方スプリング１４ｂ（支持部材）が配設されている。前方スプリング１４ａ及び後方スプリング１４ｂは、左右のサイドフレーム１１間に横架されており、前方スプリング１４ａ及び後方スプリング１４ｂの両端部は、サイドフレーム１１に設けられた係止部１１ｂにそれぞれ係止される。係止部１１ｂは、前後方向に離間した二つの孔の間の部分として形成されており、その孔によって挟まれる部分がサイドフレーム１１の内側に向かって膨出するように構成されている。そして、一方の孔から前方スプリング１４ａまたは後方スプリング１４ｂの端部を差し込み、膨出した部分にスプリングの一部を沿わせたのち、端部を他方の孔に挿通させている。
【００３２】
前方スプリング１４ａ及び後方スプリング１４ｂは、シートクッションフレーム１０を真上から見たとき（すなわち、平面視）、互いに所定距離離間し、延在方向が略平行となるように配設されている。また、前方スプリング１４ａと後方スプリング１４ｂとの間（所定距離離間した空間）において、着座者の坐骨結節に相当する位置が支持されるように構成される。すなわち、前方スプリング１４ａ及び後方スプリング１４ｂは、少なくとも坐骨結節の直下位置に配設されない程度に、互いに離間して配設される。
【００３３】
前方スプリング１４ａ及び後方スプリング１４ｂは、波状（ジグザグ形状）等に形成された線状の部材であり、主として着座者の臀部を支持する。そして、前方スプリング１４ａ及び後方スプリング１４ｂの端部はそれぞれ左右のサイドフレーム１１に軸支されており、前方スプリング１４ａ及び後方スプリング１４ｂの上方にクッションパッド１ｂが載置される。つまり、前方スプリング１４ａ及び後方スプリング１４ｂはクッションパッド１ｂを支持する支持部材として機能する。
【００３４】
図３に示すように、本実施形態のシートクッションフレーム１０には、車両が前突した際に、車両用シートＳに着座した着座者の体が前下方に滑り落ちるサブマリン現象を抑制するためのサブマリンパイプ１５（第一の沈み込み抑制部材）が設けられている。サブマリンパイプ１５は前方スプリング１４ａよりも前方の位置において、左右のサイドフレーム１１の間に設けられている。また、サブマリンパイプ１５はパンフレーム１２の後端部１２ｅおよび後方折曲部１２ｂよりも前方の位置に配置されている。さらに、サブマリンパイプ１５は、パンフレーム１２の下方の位置、具体的にはパンフレーム１２の支持面１２ｃや凸部１２ｄの下方の位置に配置されている。
【００３５】
前突などの衝撃発生時には、着座者が沈み込み、着座者の脊椎に圧縮荷重が生じてしまうことがある。本実施形態のシートクッションフレーム１０には、前突などの衝撃発生時に、着座者の沈み込みに伴って生じる衝撃を抑制するために、第一の沈み込み抑制部材であるサブマリンパイプ１５に脆弱部１５ａが設けられている。脆弱部１５ａは、サブマリンパイプ１５の中央付近の位置に設けられた径が細くなっている部分である。前突時に、着座者が沈み込んだ際に、サブマリンパイプ１５が脆弱部１５ａで変形することで、着座者に生じる衝撃の吸収に寄与する。したがって、着座者の脊椎に圧縮荷重が生じてしまうことが抑制される。
【００３６】
また、脆弱部１５ａが設けられたサブマリンパイプ１５は、左右のサイドフレーム１１に架設されており、取付け剛性を備えるとともに、適切に衝撃吸収に寄与することが可能となる。
【００３７】
［３．シートクッションパッドに設けられる第二の沈み込み抑制部材］
以下、本実施形態に係るシートクッションＳ１のクッションパッド１ｂに設けられる第二の沈み込み抑制部材について、図４乃至６を参照しながら説明する。図４は、シートクッションフレーム１０の上面図であり、図５は図１のＡ−Ａ断面図、図６は図１のＢ−Ｂ断面図である。
【００３８】
本実施形態に係るシートクッションＳ１のクッションパッド１ｂに設けられる第二の沈み込み抑制部材の例として、プレート部材１７を例として説明する。プレート部材１７は、クッションパッド１ｂの中に設けられた板状の樹脂成形品である。クッションパッド１ｂを構成する基材（ウレタン材料であるウレタン発泡体）にプレート部材１７がインサートされた状態で射出成型されている。プレート部材１７はクッションパッド１ｂと一体成形されて一体化しているため、成形されたクッションパッド１ｂにプレート部材１７を別途取り付ける必要がないため、作業性が向上するという利点を有する。
【００３９】
プレート部材１７は、脆弱部として、衝撃によって荷重がかかると圧潰する中空構造や、気泡緩衝材に設けられる円柱状の突起に空気を閉じ込めた構造などを有しており、前突などの衝撃発生時に、着座者の沈み込みに伴って生じる衝撃を吸収可能に構成されている。
【００４０】
図４にシートクッションフレーム１０の上面図を示すように、プレート部材１７は、前方の前端面１７ａと、後方の後端面１７ｂと、右側のサイドフレーム１１と対向する右端面１７ｃと、左側のサイドフレーム１１と対向する左端面１７ｄと、を有している。また、図５に示すように、プレート部材１７は上面部１７ｅ及び下面部１７ｆを有している。
【００４１】
シートクッションフレーム１０を上側から見た平面視において、図４及び５に示すように、プレート部材１７は、上下方向においてクッションパッド１ｂを支持する支持部材である前方スプリング１４ａ及び後方スプリング１４ｂに対して少なくとも一部が重なるように配置されている。また、シート前後方向において、プレート部材１７の前端面１７ａがサブマリンパイプ１５（第一の沈み込み抑制部材）の後端よりも後方に位置するように構成されている。
【００４２】
図５に示すように、プレート部材１７は、上下方向においてクッションパッド１ｂに設けられた前方薄肉部１ｃと追加パイプ１６の間に位置するように配置されている。また、図６に示すように、プレート部材１７は、シート幅方向（シート左右方向）において、クッションパッド１ｂの左右の薄肉部、つまり右側薄肉部１ｅと左側薄肉部１ｆの間（左右の薄肉部に対してシート中央側）に設けられている。換言すると、プレート部材１７は、シート幅方向（シート左右方向）において、トリムカバー１ａに設けられた左右の吊りこみ部、つまり第一の吊りこみ部２ａと第二の吊りこみ部２ｂの間（左右の吊りこみ部に対してシート中央側）に設けられている。
【００４３】
本実施形態のシートクッションフレーム１０では、プレート部材１７がこのような位置に配置されているため、前突時に着座者が沈み込んだときに、プレート部材１７によって着座者に生じる衝撃が適切に吸収される。したがって、着座者の脊椎に圧縮荷重が生じてしまうことが抑制される。
【００４４】
ここで、プレート部材１７が衝突に伴って変位した際にサブマリンパイプ１５に衝撃を伝達するように構成されていると、衝撃が効果的に吸収されるため好ましい。例えば、図４において、プレート部材１７の前端面１７ａがサブマリンパイプ１５よりも前方に位置するように構成して、プレート部材１７がサブマリンパイプ１５にまたがるように設けることも可能である。このとき、衝突に伴って着座者が沈み込んだ際に、サブマリンパイプ１５とプレート部材１７の両方によって、衝撃が吸収されるため、シート前後方向における広い範囲で効果的に衝撃を吸収することが可能となる。したがって、着座者の脊椎に生じる圧縮荷重を抑制することが可能となる。
【００４５】
なお、サブマリンパイプ１５（第一の沈み込み抑制部材）とプレート部材１７（第二の沈み込み抑制部材）の位置関係については適宜変更可能であり、サブマリンパイプ１５がシート上下方向においてプレート部材１７に対して少なくとも一部が重なるように配置されている（換言するとプレート部材１７の前端面１７ａがサブマリンパイプ１５の後端部よりも前方に位置するように配置されている）と、前突時に着座者が沈み込んだ際に、衝撃吸収量を増加させることが可能となる。
【００４６】
また、サブマリンパイプ１５がシート上下方向においてプレート部材１７に対して重ならないように配置されている（換言するとプレート部材１７の前端面１７ａがサブマリンパイプ１５の後端部よりも後方に位置するように配置されている）と、シート前後方向における広い範囲で衝撃吸収を生じさせることが可能となる。
【００４７】
［４．第二の実施形態のシートクッションフレーム］
第一の実施形態に係る車両用シートのシートクッションフレームは、第一の沈み込み抑制部材としてのサブマリンパイプに衝撃吸収のための脆弱部１５ａを設けた例を説明したが、第二の実施形態では、沈み込み抑制部材として機能する着座者の大腿部を支持するパンフレームに衝撃吸収のための脆弱部を設けた例を説明する。
【００４８】
以下、本発明の第二の実施形態に係るシートクッションフレームについて図７及び８を参照して説明する。第一の実施形態と異なる構成のみ説明し、それ以外の構成については、第一の実施形態の構成と同様であるため、説明を省略する。
【００４９】
図７に、第二の実施形態に係る車両用シートのシートクッションフレーム１０Ｘの斜視図を示す。シートクッションフレーム１０Ｘのパンフレーム１２は、箱状に形成された脆弱部１２ｆを有している。脆弱部１２ｆは、パンフレーム１２の後端部１２ｅから下方に折曲された後方折曲部１２ｂをその一部として形成されている。
【００５０】
前突時に着座者が沈み込んだときに、脆弱部１２ｆが圧潰することによって着座者に生じる衝撃が適切に吸収される。衝撃によって荷重がかかると圧潰する蛇腹構造や、気泡緩衝材に設けられる円柱状の突起に空気を閉じ込めた構造などを脆弱部１２ｆに設けると、効果的に衝撃を吸収することが可能となる。したがって、着座者の脊椎に圧縮荷重が生じてしまうことが抑制される。
【００５１】
［５．第三の実施形態のシートクッションフレーム］
第一の実施形態に係る車両用シートのシートクッションフレームは、第一の沈み込み抑制部材としてサブマリンパイプを備えた例（例えばフロントシートのシートクッションフレーム）を説明したが、第三の実施形態では、サブマリンパイプを備えていないシートクッションフレーム（フロントシートのシートクッションフレームや、リアシートのシートクッションフレーム）を説明する。
【００５２】
以下、本発明の第三の実施形態に係るシートクッションフレームについて図９乃至１１を参照して説明する。第一の実施形態と異なる構成のみ説明し、それ以外の構成については、第一の実施形態の構成と同様であるため、説明を省略する。
【００５３】
図９に、第三の実施形態に係る車両用シートのシートクッションフレーム１０Ｙの斜視図を示す。シートクッションフレーム１０Ｙはサブマリンパイプに相当する部材を備えていない点で第一の実施形態と異なっている。第二の実施形態に係るシートクッションフレーム１０Ｙは、クッションパッド１ｂの下方に脆弱部が設けられたプレート部材１７を有しており、前突時に、プレート部材１７が下方へと変位した場合に、プレート部材１７が、シートクッションフレーム１０Ｙや車体に設けられる脆弱部を備える沈み込み抑制部材と接触し、プレート部材１７および脆弱部を備える沈み込み抑制部材によって着座者に生じる衝撃が吸収されるように構成されている。
【００５４】
シートクッションフレーム１０Ｙに設けられる沈み込み抑制部材の例としては、脆弱部１８ａが設けられたフレーム片１８など、衝撃を吸収可能な脆弱部を備えるものであればよいが、これに限定されるものではない。また、フレーム片１８は、前方スプリング１４ａよりも前方の位置において左右のサイドフレーム１１の間に設けられている。
【００５５】
図１０に示すように、シートクッションフレーム１０Ｙをシート上下方向の上側から見た平面視において、プレート部材１７がフレーム片１８よりも上方の位置に配置されている。また、シート前後方向において、プレート部材１７の前端面１７ａがフレーム片１８よりも前方に位置するように構成されている。
【００５６】
第二の実施形態に係る車両用シートのシートクッションフレーム１０Ｙによれば、前突時に着座者が沈み込んだときに、プレート部材１７が下方へと変位し、沈み込み抑制部材（フレーム片１８）と接触することで、プレート部材１７やフレーム片１８に設けられた脆弱部が変形し、衝撃が吸収されることで、着座者に生じる衝撃が抑制される。詳細には、図１１に示すように、プレート部材１７の下面部１７ｆが、沈み込み抑制部材（フレーム片１８）と接触し、プレート部材１７やフレーム片１８に設けられた脆弱部が変形し、衝撃を吸収することで、着座者に生じる衝撃が抑制される。したがって、着座者の脊椎に生じる圧縮荷重を抑制することが可能となる。
【００５７】
［６．第四の実施形態のシートクッションフレーム］
また、シートクッションの高さ調整機構を備えた車両用シートにおいて、前突時に着座者に生じる衝撃を吸収するために、高さ調整機構の一部に脆弱部を設けることも可能である。以下、高さ調整機構の一部に脆弱部を設けた本発明の第四の実施形態に係るシートクッションフレームについて図１２乃至１５を参照して詳細に説明する。
【００５８】
図１２に示すシートクッションフレーム１０Ｚは、上方から見たときに方形枠状の外形形状を有しており、シート幅方向左端部及び右端部に位置するサイドフレーム１１と、シートクッションフレーム１０の前端部を構成するパンフレーム１２と、を主たる構成要素とする。また、サイドフレーム１１の後端部の上方部分は、不図示のシートバックサイドフレームの下端部に取り付けられている。
【００５９】
また、サイドフレーム１１の後端部の下方部分同士は、図１２に示すように、シート幅方向に沿って延出する部材によって連結されている。この部材は、中空部材としての連結パイプ２４であり、具体的には丸パイプからなる。また、連結パイプ２４のシート幅方向における両端部は、筒状部材としての端部スリーブ２８Ｌ及び端部スリーブ２８Ｒを介して左右のサイドフレーム１１に支持されている。
【００６０】
また、左右のサイドフレーム１１の間には、支持部材としてのスプリング２５（Ｓバネ）がシート幅方向に複数並べられて設けられている。このスプリング２５は、シート前後方向に長く延出している。また、スプリング２５の前端部は、パンフレーム１２の上端面に固定されている。また、スプリング２５の後端部は、左右のサイドフレーム１１の間に配置された係合フック２６とＬ字アングル状の固定ブラケット２７によって上述の連結パイプ２４に留められている。
【００６１】
本実施形態の車両用シートＳは、シートクッションＳ１の高さを調整するための高さ調整機構４０を備えている。この高さ調整機構４０は、上下方向においてシートクッションフレーム１０Ｚとスライドレール機構３０のアッパレール３２Ｌとの間に配置されている。そして、乗員が高さ調整操作（例えば、不図示の昇降ボタンを押す操作）を実行すると、高さ調整機構４０の可動部（詳細には、後述する主動リンク４１や従動リンク４３等）が動作する。これにより、シートクッションＳ１を含むシート本体の高さが調整されることになる。
【００６２】
以下、本実施形態に係る高さ調整機構４０の構成について図１３を参照しながら説明する。図１３に示すように、高さ調整機構４０は、主動リンク４１と、ピニオンギア４２と、従動リンク４３とを有する。主動リンク４１及び従動リンク４３は、シートクッションＳ１と共に前後方向及び上下方向に揺動する。
【００６３】
また、主動リンク４１は、金属製の板部材からなり、シートクッションフレーム１０Ｚを構成するサイドフレーム１１のうち、シート幅方向外側のサイドフレーム側に配置されている。また、主動リンク４１の長手方向一端部は、アッパレール３２Ｌの上面に設置されたリンク支持部３２ａにピボットピン４１ｂを介して揺動自在に支持されている。また、主動リンク４１の長手方向他端部は、図１３に示すように略扇状の外形形状をなしている。さらに、略扇状となった主動リンク４１の長手方向他端部の前端部にはギア歯が形成されている。つまり、主動リンク４１の長手方向他端部は、セクタギア４１ａを構成しており、図１３に示すようにピニオンギア４２と噛み合っている。ピニオンギア４２は、シートクッションフレーム１０Ｚに設けられたサイドフレーム１１に対して回転自在に取り付けられている。また、ピニオンギア４２は、サイドフレーム１１に取り付けられた駆動モータと連結している。なお、主動リンク４１、セクタギア４１ａ、ピニオンギア４２を含み、高さ調整機構４０を主に動作させる機構部分を主動部４０Ｍとし、主動部４０Ｍによる動作に従動してシートの高さを調整する機構部分を従動部とする。
【００６４】
従動リンク４３（高さ調整機構４０の従動部に相当）は、金属製の板部材からなり、主動リンク４１の揺動動作に従動して揺動するリンクである。従動リンク４３は、シートクッションフレーム１０Ｚのサイドフレーム１１及びアッパレール３２Ｌのそれぞれに対して揺動自在に支持されている。具体的に説明すると、従動リンク４３の長手方向一端部は、図１３に示すように、アッパレール３２Ｌの上面に設置されたリンク支持部３２ｂにピボットピン４３ａを介して揺動自在に支持されている。また、従動リンク４３の長手方向他端部は、図１３に示すように、サイドフレーム１１の下端部にピボットピン４３ｂを介して揺動自在に支持されている。
【００６５】
以上のように構成された高さ調整機構４０の動作について説明すると、シート着座者である乗員が高さ調整操作（例えば、不図示の昇降ボタンを押す操作）を実行することにより、ピニオンギア４２に連結した駆動モータが駆動してピニオンギア４２が回転する。ピニオンギア４２が回転すると、ピニオンギア４２とセクタギア４１ａとの噛み合い位置が変化する。これに伴って、主動リンク４１及び従動リンク４３が揺動する。このとき、主動リンク４１に溶接されている端部スリーブ２８Ｌ，２８Ｒ、及び端部スリーブ２８Ｌ，２８Ｒに嵌め込まれた連結パイプ２４が一体的に揺動するようになる。これにより、シートクッションフレーム１０Ｚのサイドフレーム１１は、連結パイプ２４と端部スリーブ２８Ｌ及び端部スリーブ２８Ｒに対して、これらの中心軸を回動中心として相対的に回動するようになる。この結果、シートクッションフレーム１０Ｚが昇降し、シート本体の高さが調整されるようになる。
【００６６】
図１４及び図１５に示すように、乗物用シートの高さ位置を調整するための高さ調整機構４０の高さ位置を維持するリンク部を構成するリンク支持部３２ｂに脆弱部３３が設けられている。脆弱部３３は、リンク支持部３２ｂに長孔を設けることで形成されており、前突時にピボットピン４３ａが脆弱部３３を裂くようにして長孔に侵入することで、衝撃が吸収されるようになっている。リンク部に脆弱部を設ける方法は、これに限定されるものではなく、前突時に着座者が沈み込んだ際に、着座者に生じる衝撃を吸収可能であればよい。
【００６７】
［７．変形例］
本発明は上記の実施形態に限定されるものではない。以下においては、本実施形態に係るシートクッションフレーム及びシートクッションの変形例について説明する。
【００６８】
上記実施形態では、サブマリンパイプ１５（第一の沈み込み抑制部材）を直線状のパイプ部材として形成し、一部の径を小さくして脆弱部１５ａを設けた例を示したが、パイプ部材の一部に切込みや凹部、切欠きを設けたり、肉厚を薄くしたり、パイプ部材のシート幅方向の中央部分の材質をその周囲よりも柔らかくしたりして脆弱部を形成してもよい。また、サブマリンパイプ１５の断面形状の一辺が他の辺に対してシート前後方向の後方又は前方に向かうに従い傾斜するように構成してもよい。さらに、パイプ部材を、２つの部材を連結して形成したり、強度の異なる２つの半割形状の部材を接合したりして脆弱部を形成してもよい。
【００６９】
上記実施形態では、クッションパッドとプレート部材を一体成形により一体化した例を示したが、これに限定されるものではなく、クッションパッドに凹部を設け、該凹部にプレート部材を収容するようしてもよい。また、プレート部材を用いると軽量化の観点から好ましいが、樹脂の代わりに脆弱部が設けられた金属製のプレート部材や、板状に成形された硬質ウレタン等、樹脂製以外のものを用いてもよい。
【００７０】
上記実施形態では、プレート部材１７をクッションパッド１ｂと一体成形することで一体化した例を示したが、クッションパッドへの取り付けの手法は、これに限定されるものではなく、クッションパッドの下面に貼着された裏打ち材としての粗毛布にプレートを取り付けてもよい。このとき、プレートのクッションパッドと接する側の面（上面）や端部に細かな凹凸を設けることで、プレートがクッションパッドの下面から脱落してしまうことが抑制される。
【００７１】
プレート部材１７の形状は、扁平なものに限定されることなく、左右方向（シート幅方向）に湾曲する湾曲形状を有していてもよい。具体的には、プレート部材１７の右端面１７ｃ及び左端面１７ｄがプレート部材１７の中央部分よりも下方または上方に位置するように湾曲する形状としてもよい。また、プレート部材１７が前後方向に湾曲する湾曲形状を有していてもよい。具体的には、プレート部材１７の前端面１７ａ及び後端面１７ｂがプレート部材１７の中央部分よりも下方または上方に位置するように湾曲する形状としてもよい。さらに、プレート部材１７の左右の側部（右端面１７ｃ及び左端面１７ｄ）を薄くしたり、中央部分を薄くすることも可能である。
【００７２】
上記実施形態では、プレート部材１７がクッションパッド１ｂに設けられる例を示したが、プレート部材がクッションパッド以外に設けられていてもよい。具体的には、プレート部材の左右の端部をそれぞれ左右のサイドフレーム１１に引っ掛けるなどして取り付け、プレートの下面を前方スプリング１４ａや後方スプリング１４ｂによって支持することでシートクッションに設置してもよい。
【００７３】
上記実施形態では、クッションパッドに設けられる第二の沈み込み抑制部材としてプレート部材を用いた例を説明したが、第二の沈み込み抑制部材の態様はこれに限定されるものではない。例えば、クッションパッドの下面に貼着された、ウレタン基材よりも硬度の高い裏打ち材としての粗毛布を第二の沈み込み抑制部材としてもよい。また、第二の沈み込み抑制部材が下方へと変位したときに、フレーム部材、車体などと接触する部分、具体的には、粗毛布などの裏打ち材のフレーム部材、車体などと対向する部分に脆弱部を設けてもよい。裏打ち材としては粗毛布、フェルト、プレスフェルト、又は不織布を用いることが可能であるが、これらの裏打ち材の一部の領域を適宜加工することで脆弱部を設ければよい。
【００７４】
上記実施形態では、図２に示すシートクッションフレームにプレート部材を適用した例を示したが、他のシートフレームにプレート部材（沈み込み抑制部材、高硬度部、衝撃吸収部材）を適用することも可能である。以下、変形例（第１〜第５の変形例）に係る車両用シートのシートフレームについて、図１６Ａ乃至図２０Ｄを参照して説明をする。なお、図１６Ａ乃至図２０Ｄでは、プレート部材の厚みを省略して図示している。
【００７５】
（第１の変形例に係る車両用シートのシートフレーム）
まず、図１６Ａを参照しながら、シートフレームの構成の概要について説明する。図１６Ａに示されるように、シートフレームＳ１００は、主にシートクッションフレーム１１０及びシートバックフレーム１２０により構成される。シートクッションフレーム１１０は、車両用シートにおける着座部分の骨格をなし、シートバックフレーム１２０は、車両用シートにおける背もたれ部分の骨格をなす。
【００７６】
シートクッションフレーム１１０は、上方から見たときに方形枠状の外形形状をなしている。そして、シートクッションフレーム１１０は、シート幅方向における端部を構成するサイドフレーム１１１，１１２と、シートクッションフレーム１１０の前端部を構成するパンフレーム１１３と、右のサイドフレーム１１１と左のサイドフレーム１１２の後端部を連結する連結パイプ１１４とを主たる構成要素とする。
【００７７】
図１６Ａに示すように、パンフレーム１１３よりも後方の位置において、左右のサイドフレーム１１１，１１２の間にサブマリンパイプ１１５が設けられている。また、支持部材としてのスプリング１１６がシート前後方向に延在するように配置されている。具体的には、スプリング１１６の前方の端部をサブマリンパイプ１１５に取り付け、スプリング１１６の後方の端部を連結パイプ１１４に取り付けることで、シート前後方向にスプリング１１６（支持部材）が配置されている。
【００７８】
シートバックフレーム１２０は、図１６Ａに示すように、左右に離間して配置され長手方向（上下方向）に延在する右のサイドフレーム１２１及び左のサイドフレーム１２２と、このサイドフレーム１２１，１２２の上端部を連結する板状の上部フレーム１２３と、シートクッションフレーム１１０とシートバックフレーム１２０とを回動可能に連結する連結パイプ１２４と、サイドフレーム１２１，１２２の下端部を連結する下部フレーム１２５（ロアメンバー）とにより枠状に構成されている。上部フレーム１２３には、ピラー支持部が設けられ、ピラー支持部には、ヘッドレストピラーが挿入され、ヘッドレストが取り付けられる。
【００７９】
枠状に形成されたシートバックフレーム１２０の内側には、乗員の上体を支持して沈み込みを抑制する受圧部材１２６が配置されている。受圧部材１２６は、樹脂などで形成された板状の部材である。図１６Ａに示すように、受圧部材１２６は、連結ワイヤ１２７によって上部フレーム１２３と下部フレーム１２５に連結されている。
【００８０】
シートフレームＳ１００に対するプレート部材の配置例を、図１６Ｂ乃至１６Ｄを参照して説明する。図１６Ｂに示す例では、プレート部材１１７ａが、シートクッションフレーム１１０のシート前後方向及びシート幅方向において、スプリング１１６（支持部材）と重なるように配置されている。また、プレート部材１１７ｂが、シートバックフレーム１２０のシート上下方向及びシート幅方向において、受圧部材１２６と重なるように配置されている。
【００８１】
図１６Ｃに示す例では、プレート部材１１７ａが、シートクッションフレーム１１０のシート前後方向及びシート幅方向において、スプリング１１６（支持部材）及びサブマリンパイプ１１５と重なるように配置されている。また、プレート部材１１７ｂが、シートバックフレーム１２０のシート上下方向及びシート幅方向において、受圧部材１２６と重なるように配置されている。
【００８２】
図１６Ｄに示す例では、プレート部材１１７ａが、シートクッションフレーム１１０のシート前後方向及びシート幅方向において、スプリング１１６（支持部材）、サブマリンパイプ１１５及びパンフレーム１１３と重なるように配置されている。また、プレート部材１１７ｂが、シートバックフレーム１２０のシート上下方向及びシート幅方向において、下部フレーム１２５（ロアメンバー）及び受圧部材１２６と重なるように配置されている。
【００８３】
（第２の変形例に係る車両用シートのシートフレーム）
まず、図１７Ａを参照しながら、第２の変形例に係るシートフレームの構成の概要について説明する。図１７Ａに示されるように、シートフレームＳ２００は、主にシートクッションフレーム２１０及びシートバックフレーム２２０により構成される。シートクッションフレーム２１０は、車両用シートにおける着座部分の骨格をなし、シートバックフレーム２２０は、車両用シートにおける背もたれ部分の骨格をなす。
【００８４】
シートクッションフレーム２１０は、上方から見たときに矩形状の外形形状をなしている。そして、シートクッションフレーム２１０は、シート幅方向における端部を構成するサイドフレーム２１１，２１２と、シートクッションフレーム２１０の前端部から後端部を構成するパンフレーム２１３と、を主たる構成要素とする。図１７Ａに示すように、パンフレーム２１３は底面２１４を有している。
【００８５】
シートバックフレーム２２０は、図１７Ａに示すように、左右に離間して配置され長手方向（上下方向）に延在する右のサイドフレーム２２１及び左のサイドフレーム２２２と、このサイドフレーム２２１，２２２の上端部を連結する上部フレーム２２３と、シートクッションフレーム２１０とシートバックフレーム２２０とを回動可能に連結する連結パイプ２２４と、により枠状に構成されている。上部フレーム２２３には、ピラー支持部が設けられ、ピラー支持部には、ヘッドレストピラーが挿入され、ヘッドレストが取り付けられる。
【００８６】
枠状に形成されたシートバックフレーム２２０の内側には、乗員の上体を支持して沈み込みを抑制する受圧部材２２５，２２６が配置されている。受圧部材２２５は、樹脂などで形成された板状の部材である。また、受圧部材２２６は、面状ばね（プルマフレックス）からなり、上部フレーム２２３にワイヤ等で吊られた状態で保持されている。
【００８７】
シートフレームＳ２００に対するプレート部材の配置例を、図１７Ｂ乃至１７Ｄを参照して説明する。図１７Ｂに示す例では、プレート部材２１７ａが、シートクッションフレーム２１０のシート前後方向及びシート幅方向において、パンフレーム２１３の底面２１４と重なるように配置されている。また、プレート部材２１７ｂが、シートバックフレーム２２０のシート上下方向及びシート幅方向において、受圧部材２２６と重なるように配置されている。
【００８８】
図１７Ｃに示す例では、プレート部材２１７ａが、シートクッションフレーム２１０のシート前後方向において、パンフレーム２１３の底面２１４及び前方部分と重なるように配置されている。また、プレート部材２１７ｂが、シートバックフレーム２２０のシート上下方向及びシート幅方向において、受圧部材２２５及び受圧部材２２６の両方と重なるように配置されている。
【００８９】
図１７Ｄに示す例では、プレート部材２１７ａが、シートクッションフレーム２１０のシート前後方向及びシート幅方向において、パンフレーム２１３の底面２１４を含む全体と重なるように配置されている。また、プレート部材２１７ｂが、シートバックフレーム２２０のシート上下方向及びシート幅方向において、受圧部材２２５及び受圧部材２２６の両方と重なるように配置されている。
【００９０】
（第３の変形例に係る車両用シートのシートフレーム）
まず、図１８Ａを参照しながら、第３の変形例に係るシートフレームの構成の概要について説明する。図１８Ａに示されるように、シートフレームＳ３００は、主にシートクッションフレーム３１０及びシートバックフレーム３２０により構成される。シートクッションフレーム３１０は、車両用シートにおける着座部分の骨格をなし、シートバックフレーム３２０は、車両用シートにおける背もたれ部分の骨格をなす。
【００９１】
シートクッションフレーム３１０は、上方から見たときに矩形状の外形形状をなしている。そして、シートクッションフレーム３１０は、シート幅方向における端部を構成するサイドフレーム３１１，３１２と、シートクッションフレーム３１０の前端部を構成するパンフレーム３１３と、右のサイドフレーム３１１と左のサイドフレーム３１２の後端部を連結する連結パイプ３１４とを主たる構成要素とする。
【００９２】
図１８Ａに示すように、支持部材としての４本のスプリング３１５がシート前後方向に延在するように配置されている。具体的には、スプリング３１５の前方の端部をパンフレーム３１３に取り付け、スプリング３１５の後方の端部を連結パイプ３１４に取り付けることで、シート前後方向にスプリング３１５（支持部材）が配置されている。
【００９３】
シートバックフレーム３２０は、図１８Ａに示すように、左右に離間して配置され長手方向（上下方向）に延在する右のサイドフレーム３２１及び左のサイドフレーム３２２と、このサイドフレーム３２１，３２２の上端部を連結する上部フレーム３２３と、シートクッションフレーム３１０とシートバックフレーム３２０とを回動可能に連結する連結パイプ３２４と、により枠状に構成されている。上部フレーム３２３には、ピラー支持部が設けられ、ピラー支持部には、ヘッドレストピラーが挿入され、ヘッドレストが取り付けられる。
【００９４】
枠状に形成されたシートバックフレーム３２０の内側には、左右のサイドフレームを下方位置で連結する下側ブラケット３２５と、左右のサイドフレームを上方位置で連結する上側ブラケット３２６がシート幅方向にそれぞれ設けられている。また、枠状に形成されたシートバックフレーム３２０の内側には、乗員の上体を支持して沈み込みを抑制する受圧部材３２７，３２８が配置されている。受圧部材３２７は、樹脂などで形成された板状の部材である。また、受圧部材３２８は、面状ばね（プルマフレックス）からなり、上側ブラケット３２６にワイヤ等で吊られた状態で保持されている。
【００９５】
シートフレームＳ３００に対するプレート部材の配置例を、図１８Ｂ乃至１８Ｄを参照して説明する。図１８Ｂに示す例では、プレート部材３１７ａが、シートクッションフレーム３１０のシート前後方向及びシート幅方向において、４本のスプリング３１５のうち内側の２本と重なるように配置されている。また、プレート部材３１７ｂが、シートバックフレーム３２０のシート上下方向及びシート幅方向において、受圧部材３２８と重なるように配置されている。
【００９６】
図１８Ｃに示す例では、プレート部材３１７ａが、シートクッションフレーム３１０のシート前後方向及びシート幅方向において、４本のスプリング３１５と重なるように配置されている。また、プレート部材３１７ｂが、シートバックフレーム３２０のシート上下方向及びシート幅方向において、受圧部材３２７及び受圧部材３２８の両方と重なるように配置されている。
【００９７】
図１８Ｄに示す例では、プレート部材３１７ａが、シートクッションフレーム３１０のシート前後方向及びシート幅方向において、パンフレーム３１３及び４本のスプリング３１５と重なるように配置されている。また、プレート部材３１７ｂが、シートバックフレーム３２０のシート上下方向及びシート幅方向において、上側ブラケット３２６、受圧部材３２７、及び受圧部材３２８と重なるように配置されている。
【００９８】
（第４の変形例に係る車両用シートのシートフレーム）
まず、図１９Ａを参照しながら、第４の変形例に係るシートフレームの構成の概要について説明する。図１９Ａに示されるように、シートフレームＳ４００は、主にシートクッションフレーム４１０及びシートバックフレーム４２０により構成される。シートクッションフレーム４１０は、車両用シートにおける着座部分の骨格をなし、シートバックフレーム４２０は、車両用シートにおける背もたれ部分の骨格をなす。
【００９９】
シートクッションフレーム４１０は、上方から見たときに矩形状の外形形状をなしている。そして、シートクッションフレーム４１０は、シート幅方向における端部を構成するサイドフレーム４１１，４１２と、シートクッションフレーム３１０の前端部を構成するパンフレーム４１３と、右のサイドフレーム４１１と左のサイドフレーム４１２の後端部を連結する連結パイプ４１４とを主たる構成要素とする。
【０１００】
図１９Ａに示すように、支持部材としての４本のスプリング４１５がシート前後方向に延在するように配置されている。具体的には、スプリング４１５の前方の端部をパンフレーム４１３に取り付け、スプリング４１５の後方の端部を連結パイプ４１４に取り付けることで、シート前後方向にスプリング４１５（支持部材）が配置されている。
【０１０１】
シートバックフレーム４２０は、図１９Ａに示すように、左右に離間して配置され長手方向（上下方向）に延在する右のサイドフレーム４２１及び左のサイドフレーム４２２と、このサイドフレーム４２１，４２２の上端部を連結する上部フレーム４２３と、シートクッションフレーム４１０とシートバックフレーム４２０とを回動可能に連結する連結パイプ４２４と、により枠状に構成されている。上部フレーム４２３には、ピラー支持部が設けられ、ピラー支持部には、ヘッドレストピラーが挿入され、ヘッドレストが取り付けられる。
【０１０２】
枠状に形成されたシートバックフレーム４２０の内側には、左右のサイドフレームを下方位置で連結する下側ブラケット４２５と、左右のサイドフレームを上方位置で連結する上側ブラケット４２６がシート幅方向にそれぞれ設けられている。また、枠状に形成されたシートバックフレーム４２０の内側には、乗員の上体を支持して沈み込みを抑制する受圧部材４２７が配置されている。受圧部材４２７は、シートバックフレーム４２０の上下方向において、下側ブラケット４２５と上側ブラケット４２６との間に設けられ、左右のサイドフレーム４２１，４２２の間に横架されている。
【０１０３】
シートフレームＳ４００に対するプレート部材の配置例を、図１９Ｂ乃至１９Ｄを参照して説明する。図１９Ｂに示す例では、プレート部材４１７ａが、シートクッションフレーム４１０のシート前後方向及びシート幅方向において、４本のスプリング４１５と重なるように配置されている。また、プレート部材４１７ｂが、シートバックフレーム４２０のシート上下方向及びシート幅方向において、受圧部材４２７と重なるように配置されている。
【０１０４】
図１９Ｃに示す例では、プレート部材４１７ａが、シートクッションフレーム４１０のシート前後方向及びシート幅方向において、４本のスプリング４１５と重なるように配置されている。また、プレート部材４１７ｂが、シートバックフレーム４２０のシート上下方向及びシート幅方向において、上側ブラケット４２６及び受圧部材４２７の両方と重なるように配置されている。
【０１０５】
図１９Ｄに示す例では、プレート部材４１７ａが、シートクッションフレーム４１０のシート前後方向及びシート幅方向において、パンフレーム４１３及び４本のスプリング４１５と重なるように配置されている。また、プレート部材４１７ｂが、シートバックフレーム４２０のシート上下方向及びシート幅方向において、下側ブラケット４２５、上側ブラケット４２６、及び受圧部材４２７と重なるように配置されている。
【０１０６】
（第５の変形例に係る車両用シートのシートフレーム）
まず、図２０Ａを参照しながら、第５の変形例に係るシートフレームの構成の概要について説明する。図２０Ａに示されるように、シートフレームＳ５００は、主にシートクッションフレーム５１０及びシートバックフレーム５２０により構成される。シートクッションフレーム５１０は、車両用シートにおける着座部分の骨格をなし、シートバックフレーム５２０は、車両用シートにおける背もたれ部分の骨格をなす。
【０１０７】
シートクッションフレーム５１０は、上方から見たときに矩形状の外形形状をなしている。そして、シートクッションフレーム５１０は、シート幅方向における端部を構成するサイドフレーム５１１，５１２と、シートクッションフレーム５１０の前端部を構成するパンフレーム５１３と、右のサイドフレーム５１１と左のサイドフレーム５１２の後端部を連結する連結パイプ５１４とを主たる構成要素とする。
【０１０８】
図２０Ａに示すように、支持部材としての４本のスプリング５１５がシート前後方向に延在するように配置されている。具体的には、スプリング５１５の前方の端部をパンフレーム５１３に取り付け、スプリング５１５の後方の端部を連結パイプ５１４に取り付けることで、シート前後方向にスプリング５１５（支持部材）が配置されている。
【０１０９】
シートバックフレーム５２０は、図２０Ａに示すように、左右に離間して配置され長手方向（上下方向）に延在する右のサイドフレーム５２１及び左のサイドフレーム５２２と、このサイドフレーム５２１，５２２の上端部を連結する上部フレーム５２３と、シートクッションフレーム５１０とシートバックフレーム５２０とを回動可能に連結する連結パイプ５２４と、により枠状に構成されている。上部フレーム５２３には、ピラー支持部が設けられ、ピラー支持部には、ヘッドレストピラーが挿入され、ヘッドレストが取り付けられる。
【０１１０】
枠状に形成されたシートバックフレーム５２０の内側には、左右のサイドフレームを下方位置で連結する下側ブラケット５２５がシート幅方向に設けられている。また、枠状に形成されたシートバックフレーム５２０の内側には、乗員の上体を支持して沈み込みを抑制する受圧部材５２６が配置されている。受圧部材５２６は、面状ばね（プルマフレックス）からなり、上部フレーム５２３に取り付けられたワイヤ部材５２７などにワイヤ等で吊られた状態で保持されている。
【０１１１】
シートフレームＳ５００に対するプレート部材の配置例を、図２０Ｂ乃至２０Ｄを参照して説明する。図２０Ｂに示す例では、プレート部材５１７ａが、シートクッションフレーム５１０のシート前後方向及びシート幅方向において、４本のスプリング５１５のうち内側の２本と重なるように配置されている。また、プレート部材５１７ｂが、シートバックフレーム５２０のシート上下方向及びシート幅方向において、受圧部材５２６と重なるように配置されている。
【０１１２】
図２０Ｃに示す例では、プレート部材５１７ａが、シートクッションフレーム５１０のシート前後方向及びシート幅方向において、４本のスプリング５１５と重なるように配置されている。また、プレート部材５１７ｂが、シートバックフレーム５２０のシート上下方向及びシート幅方向において、受圧部材５２６及びワイヤ部材５２７の両方と重なるように配置されている。
【０１１３】
図２０Ｄに示す例では、プレート部材５１７ａが、シートクッションフレーム５１０のシート前後方向及びシート幅方向において、パンフレーム５１３及び４本のスプリング５１５と重なるように配置されている。また、プレート部材５１７ｂが、シートバックフレーム５２０のシート上下方向及びシート幅方向において、下側ブラケット５２５、受圧部材５２６、ワイヤ部材５２７及びと重なるように配置されている。
【０１１４】
以上、第１乃至第５の変形例に係る車両用シートのシートフレームを、図１６Ａ乃至図２０Ｄを参照して説明した。第１乃至第５の変形例に係る車両用シートのシートフレームでは、プレート部材が、ばねで構成された受圧部材（面状ばねやスプリング）や、板状の受圧部材と重なる範囲にのみ配置されている場合は、通常の着座時に着座者（乗員）の着座感が低下することが抑制される。
【０１１５】
また、第１乃至第５の変形例に係る車両用シートのシートフレームにおいて、プレート部材が、受圧部材（面状ばねやスプリング）、ブラケット（シートバックフレームに設けられた上側ブラケットや下側ブラケット）、シートクッションのパンフレームと重なる範囲まで広がって配置されている場合には、衝突などの衝撃発生時に、着座者（乗員）が車両用シートのシートフレームに向かう方向に沈み込んだ際に、樹脂プレートが受圧部材、ブラケット、パンフレームに支持されることでエネルギーの吸収効果を向上させることが可能となる。
【０１１６】
以上、本実施形態に係るシートクッションを車両に搭載される車両用シートのシートクッションを例として説明した。本実施形態に係るシートクッションは、車両用シートのシートクッションに限定されるものではなく、着座者に衝撃が発生しうるシート、特に、衝撃発生時に着座者の腰部に対して沈み込みが発生し得るシートのシートクッションであれば、特に用途についての制限はない。例えば、本発明のシートクッションは、車両以外の乗物内で使用される乗物用シートのシートクッションとしても利用可能である。
【符号の説明】
【０１１７】
Ｓ  車両用シート（乗物用シート）
Ｓ１  シートクッション
１ａ  トリムカバー
１ｂ  クッションパッド
１ｃ  前方薄肉部
１ｄ  後方薄肉部
１ｅ  右側薄肉部
１ｆ  左側薄肉部
２ａ  第一の吊りこみ部（右側吊りこみ部）
２ｂ  第二の吊りこみ部（左側吊りこみ部）
２ｃ  第三の吊りこみ部（前側吊りこみ部）
２ｄ  第四の吊りこみ部（後側吊りこみ部）
Ｓ２  シートバック
Ｓ３  ヘッドレスト
１０，１０Ｘ，１０Ｙ，１０Ｚ  シートクッションフレーム
１１  サイドフレーム
１１ａ  フランジ
１１ｂ  係止部
１２  パンフレーム
１２ａ  前方折曲部
１２ｂ  後方折曲部
１２ｃ  支持面
１２ｄ  凸部
１２ｅ  後端部
１２ｆ  脆弱部
１２Ｘ  フロントフレーム
１３，２４  連結パイプ（パイプフレーム）
１４ａ  前方スプリング（支持部材）
１４ｂ  後方スプリング（支持部材）
１５  サブマリンパイプ（第一の沈み込み抑制部材）
１５ａ  脆弱部
１７  プレート部材（第二の沈み込み抑制部材）
１７ａ  前端面（前端部）
１７ｂ  後端面（後端部）
１７ｃ  右端面（右端部）
１７ｄ  左端面（左端部）
１７ｅ  上面部（上端部）
１７ｆ  下面部（下端部）
１８  フレーム片（第一の沈み込み抑制部材）
１８ａ  脆弱部
２５  スプリング（支持部材）
２６  係合フック
２７  固定ブラケット
２８Ｌ，２８Ｒ  端部スリーブ
３０  スライドレール機構
３２Ｌ  アッパレール
３２ａ，３２ｂ  リンク支持部
３３  脆弱部
４０  高さ調整機構
４０Ｍ  主動部
４１  主動リンク
４１ａ  セクタギア
４１ｂ，４３ａ，４３ｂ  ピボットピン
４２  ピニオンギア
４３，４４  従動リンク
Ｓ１００  シートフレーム
１１０  シートクッションフレーム
１１１，１１２  サイドフレーム
１１３  パンフレーム
１１４  連結パイプ
１１５  サブマリンパイプ
１１６  スプリング（支持部材）
１２０  シートバックフレーム
１２１，１２２  サイドフレーム
１２３  上部フレーム
１２４  連結パイプ
１２５  下部フレーム
１２６  受圧部材
１２７  連結ワイヤ
１１７ａ，１１７ｂ  プレート部材
Ｓ２００  シートフレーム
２１０  シートクッションフレーム
２１１，２１２  サイドフレーム
２１３  パンフレーム
２１４  底面
２２０  シートバックフレーム
２２１，２２２  サイドフレーム
２２３  上部フレーム
２２４  連結パイプ
２２５，２２６  受圧部材
２１７ａ，２１７ｂ  プレート部材
Ｓ３００  シートフレーム
３１０シートクッションフレーム
３１１，３１２  サイドフレーム
３１３  パンフレーム
３１４  連結パイプ
３１５  スプリング（支持部材）
３２０  シートバックフレーム
３２１  サイドフレーム
３２２  サイドフレーム
３２３  上部フレーム
３２４  連結パイプ
３２５  下側ブラケット
３２６  上側ブラケット
３２７，３２８  受圧部材
３１７ａ，３１７ｂ  プレート部材
Ｓ４００  シートフレーム
４１０  シートクッションフレーム
４１１，４１２  サイドフレーム
４１３  パンフレーム
４１４  連結パイプ
４１５  スプリング（支持部材）
４２０  シートバックフレーム
４２１，４２２  サイドフレーム
４２３  上部フレーム
４２４  連結パイプ
４２５  下側ブラケット
４２６  上側ブラケット
４２７  受圧部材
４１７ａ，４１７ｂ  プレート部材
Ｓ５００  シートフレーム
５１０  シートクッションフレーム
５１１，５１２  サイドフレーム
５１３  パンフレーム
５１４  連結パイプ
５１５  スプリング（支持部材）
５２０  シートバックフレーム
５２１，５２２  サイドフレーム
５２３  上部フレーム
５２４  連結パイプ
５２５  下側ブラケット
５２６  受圧部材
５２７  ワイヤ部材
５１７ａ，５１７ｂ  プレート部材
【図１】
2019043538.tif 000003
【図２】
2019043538.tif 000004
【図３】
2019043538.tif 000005
【図４】
2019043538.tif 000006
【図５】
2019043538.tif 000007
【図６】
2019043538.tif 000008
【図７】
2019043538.tif 000009
【図８】
2019043538.tif 000010
【図９】
2019043538.tif 000011
【図１０】
2019043538.tif 000012
【図１１】
2019043538.tif 000013
【図１２】
2019043538.tif 000014
【図１３】
2019043538.tif 000015
【図１４】
2019043538.tif 000016
【図１５】
2019043538.tif 000017
【図１６Ａ】
2019043538.tif 000018
【図１６Ｂ】
2019043538.tif 000019
【図１６Ｃ】
2019043538.tif 000020
【図１６Ｄ】
2019043538.tif 000021
【図１７Ａ】
2019043538.tif 000022
【図１７Ｂ】
2019043538.tif 000023
【図１７Ｃ】
2019043538.tif 000024
【図１７Ｄ】
2019043538.tif 000025
【図１８Ａ】
2019043538.tif 000026
【図１８Ｂ】
2019043538.tif 000027
【図１８Ｃ】
2019043538.tif 000028
【図１８Ｄ】
2019043538.tif 000029
【図１９Ａ】
2019043538.tif 000030
【図１９Ｂ】
2019043538.tif 000031
【図１９Ｃ】
2019043538.tif 000032
【図１９Ｄ】
2019043538.tif 000033
【図２０Ａ】
2019043538.tif 000034
【図２０Ｂ】
2019043538.tif 000035
【図２０Ｃ】
2019043538.tif 000036
【図２０Ｄ】
2019043538.tif 000037